(57)【特許請求の範囲】
【請求項１】
分離膜および原水流路材がスパイラル状に巻回されてなるスパイラル巻体と、該スパイラル巻体の外周に設けられた外側シェルと、前記スパイラル巻体および前記外側シェルの両端部に設けられたテレスコープ防止板とを有する流体分離素子であって、
前記テレスコープ防止板が、前記外側シェルを保持可能な第２環状部と、前記第２環状部の軸方向外側に形成され、前記第２環状部よりも外径が大きい円環からなる第３環状部とを少なくとも有し、
前記第３環状部の前記スパイラル巻体側の側面上に１つ以上のくぼみを持ち、前記テレスコープ防止板の中心軸を含む平面で前記第３環状部の断面を取った場合に現れる、前記くぼみの断面形状または位置が前記第３環状部の周方向において異なり、前記外側シェル形成用の樹脂組成物が前記くぼみに入り込んだ状態で硬化されている流体分離素子。
【請求項２】
前記テレスコープ防止板が、
前記第２環状部の軸方向内側に形成され、前記第２環状部よりも外径が大きい円環からなる第１環状部を有する、請求項１に記載の流体分離素子。
【請求項３】
前記テレスコープ防止板が、
前記第３環状部の軸方向外側に形成され、ブラインシールを外挿可能な第４環状部と、
前記第４環状部の軸方向外側に形成され、前記第４環状部よりも外径が大きい円環からなる第５環状部とを有する、請求項１または２に記載の流体分離素子。
【請求項４】
分離膜および原水流路材がスパイラル状に巻回されてなるスパイラル巻体と、該スパイラル巻体の外周に設けられた外側シェルとを有する流体分離素子の前記スパイラル巻体および前記外側シェルの両端部に設けられるテレスコープ防止板であって、
前記外側シェルを保持可能な第２環状部と、前記第２環状部の軸方向外側に形成され、前記第２環状部よりも外径が大きい円環からなる第３環状部とを少なくとも有し、
前記第３環状部の前記スパイラル巻体側の側面上に１つ以上のくぼみを持ち、前記テレスコープ防止板の中心軸を含む平面で前記第３環状部の断面を取った場合に現れる、前記くぼみの断面形状または位置が前記第３環状部の周方向において異なるテレスコープ防止板。
【請求項５】
前記第２環状部の軸方向内側に形成され、前記第２環状部よりも外径が大きい円環からなる第１環状部を有する、請求項４に記載のテレスコープ防止板。
【請求項６】
前記第３環状部の軸方向外側に形成され、ブラインシールを外挿可能な第４環状部と、
前記第４環状部の軸方向外側に形成され、前記第４環状部よりも外径が大きい円環からなる第５環状部とを有する、請求項４または５に記載のテレスコープ防止板。
【発明の詳細な説明】
【技術分野】
【０００１】
本発明は、逆浸透装置やナノ濾過装置、さらには限外濾過装置、精密濾過装置等に好適に用いられる流体分離素子に関するものである。
【背景技術】
【０００２】
近年、海水淡水化や半導体分野における超純水用途、さらには、一般かん水用途や有機物分離、排水再利用などを始めとする膜の透過水または濃縮液を利用するさまざまな流体分離分野において、分離膜を用いた流体分離素子の使用が急速に増加してきている。【０００３】
流体分離素子の形態として、中空糸膜を用いたものや、平膜のプレートフレーム型、スパイラル型があげられる。この中で、スパイラル型の流体分離素子は、分離膜が透過水流路材と原水流路材と共に集水管の周りにスパイラル状に巻き付けられた構造をとる。原水は、流体分離素子の一方の端面から供給され、分離膜で処理される。分離膜を透過した透過水は集水管から取り出され、分離膜を透過しなかった原水は、流体分離素子の他方の端面から濃縮液として排出される。【０００４】
通常、スパイラル型の流体分離素子は外周部をガラス繊維とエポキシ樹脂の繊維強化プラスチック（Ｆｉｂｅｒ  Ｒｅｉｎｆｏｒｃｅｄ  Ｐｌａｓｔｉｃ（ＦＲＰ））からなる外側シェルにより固められており、軸方向の両端にテレスコープ防止板が取り付けられた形態をとる。【０００５】
流体分離素子の上流側のテレスコープ防止板にはブラインシールと呼ばれるシール部材があり、原水が流体分離素子の外側シェルと圧力容器との間の隙間内へショートパスするのを防いでいる。ブラインシールはＯリング等でもよいが、圧力容器への装填性からＵシール等が用いられることが多い。【０００６】
流体分離素子使用時には、圧力容器の中に１〜６本程度の流体分離素子が直列に装填して使用され、該圧力容器を多数本ラックの上に設置して大容量の処理に対応する。
従来技術として、流体分離素子の外側シェルが流体分離素子の軸方向に動くことを防ぐために、テレスコープ防止板に外側シェルを外挿できる溝を設けた流体分離素子が知られている（例えば特許文献１参照。）。
【先行技術文献】
【特許文献】
【０００７】
【特許文献１】日本国特開２０１０−１６７４２０号公報
【発明の概要】
【発明が解決しようとする課題】
【０００８】
しかし、この構造では外側シェルがテレスコープ防止板に対して流体分離素子の軸方向に動くことは抑制できても、回転方向に動くことは抑制できない。【０００９】
運転時に外側シェルがテレスコープ防止板に対して回転すると、スパイラル巻体が連動して回転し、スパイラル巻体構造の崩れや、分離膜面の損傷を引き起こす場合がある。【００１０】
本発明の背景にある課題は、流体分離素子に原水を供給した際に、外側シェルとテレスコープ防止板が回転方向にずれることを抑制することである。具体的には、圧力容器内に流体分離素子が装填されて運転する場合において、外側シェルがテレスコープ防止板に対して回転する方向に力がかかった場合でも、外側シェルが回転することを抑制することを課題とする。
【課題を解決するための手段】
【００１１】
上記課題を解決するため、本発明の流体分離素子は以下の構成からなる。
（１）分離膜および原水流路材がスパイラル状に巻回されてなるスパイラル巻体と、該スパイラル巻体の外周に設けられた外側シェルと、前記スパイラル巻体および前記外側シェルの両端部に設けられたテレスコープ防止板とを有する流体分離素子であって、前記テレスコープ防止板が、前記外側シェルを保持可能な第２環状部と、前記第２環状部の軸方向外側に形成され、前記第２環状部よりも外径が大きい円環からなる第３環状部とを少なくとも有し、前記第３環状部の前記スパイラル巻体側の側面上に１つ以上のくぼみを持つ流体分離素子。
（２）前記テレスコープ防止板の中心軸を含む平面で前記第３環状部の断面を取った場合に現れる、前記くぼみの断面形状または位置が前記第３環状部の周方向において異なる、前記（１）に記載の流体分離素子。
（３）前記テレスコープ防止板が、前記第２環状部の軸方向内側に形成され、前記第２環状部よりも外径が大きい円環からなる第１環状部を有する、前記（１）または（２）に記載の流体分離素子。
（４）前記テレスコープ防止板が、前記第３環状部の軸方向外側に形成され、ブラインシールを外挿可能な第４環状部と、前記第４環状部の軸方向外側に形成され、前記第４環状部よりも外径が大きい円環からなる第５環状部とを有する、前記（１）〜（３）のいずれか１つに記載の流体分離素子。
（５）分離膜および原水流路材がスパイラル状に巻回されてなるスパイラル巻体と、該スパイラル巻体の外周に設けられた外側シェルとを有する流体分離素子の前記スパイラル巻体および前記外側シェルの両端部に設けられるテレスコープ防止板であって前記外側シェルを保持可能な第２環状部と、前記第２環状部の軸方向外側に形成され、前記第２環状部よりも外径が大きい円環からなる第３環状部とを少なくとも有し、前記第３環状部の前記スパイラル巻体側の側面上に１つ以上のくぼみを持つテレスコープ防止板。
（６）前記テレスコープ防止板の中心軸を含む平面で前記第３環状部の断面を取った場合に現れる、前記くぼみの断面形状または位置が前記第３環状部の周方向において異なる、前記（５）に記載のテレスコープ防止板。
（７）前記第２環状部の軸方向内側に形成され、前記第２環状部よりも外径が大きい円環からなる第１環状部を有する、前記（５）または（６）に記載のテレスコープ防止板。
（８）前記第３環状部の軸方向外側に形成され、ブラインシールを外挿可能な第４環状部と、前記第４環状部の軸方向外側に形成され、前記第４環状部よりも外径が大きい円環からなる第５環状部とを有する、前記（５）〜（７）のいずれか１つに記載のテレスコープ防止板。
【発明の効果】
【００１２】
本発明の流体分離素子によって得られる効果は、流体分離素子を使用中に外側シェルやテレスコープ防止板が回転する方向に力が生じた場合でも、外側シェルがテレスコープ防止板に対して回転することを抑制できることである。
また、流体分離素子を製造する際に、スパイラル巻体とテレスコープ防止板をテープで固定する方法があるが、このとき、第１環状部および第２環状部はテープで被覆されるため、第１環状部および第２環状部にくぼみを設けても、くぼみは効果を発揮しないことがある。くぼみの位置を第３環状部のスパイラル巻体側側面に限定することで、スパイラル巻体とテレスコープ防止板をテープで固定した場合にもくぼみが効果を発揮することが可能となり、効果的な流体分離素子製造が可能となる。
【図面の簡単な説明】
【００１３】
【図１】図１は、本発明が適用されるスパイラル型流体分離素子の一実施態様を示す概略一部展開図である。
【図２】図２は、本発明のスパイラル型流体分離素子のうち、テレスコープ防止板の外周環部と外側シェルとの接触部付近の断面拡大図である。
【図３】図３は、本発明のスパイラル型流体分離素子のうち、ブラインシールを取り付けた時のテレスコープ防止板の外周環部と外側シェルとの接触部付近の断面拡大図である。
【図４】図４は、本発明のスパイラル型流体分離素子に用いられる封筒膜の一形態を示す概略図である。
【図５】図５は、本発明のテレスコープ防止板が取り得る形状のうち、好ましいものの一態様をスパイラル巻体側から見た図である。
【図６】図６は、本発明のテレスコープ防止板が取り得る形状のうち、好ましいものの一態様をスパイラル巻体側から見た図である。
【図７】図７は、本発明のテレスコープ防止板が取り得る形状のうち、好ましいものの一態様をスパイラル巻体側から見た図である。
【図８】図８は、本発明のテレスコープ防止板が取り得る形状のうち、好ましいものの一態様をスパイラル巻体側から見た図である。
【図９】図９は、本発明のテレスコープ防止板が取り得る形状のうち、好ましいものの一態様をスパイラル巻体側から見た図である。
【図１０】図１０は、集水管とテレスコープ防止板が接触する部分周辺の、より好ましい断面形状である。
【発明を実施するための形態】
【００１４】
以下、本発明の実施の形態について、図面を参照しながら説明する。
【００１５】
図１は、本発明の適用される流体分離素子の一実施態様を示す概略一部展開図である。
流体分離素子はスパイラル型流体分離素子であり、第１の分離膜３および第２の分離膜４の３辺を互いに接着して形成した封筒状膜の間に透過水流路材５を挟み込み、これと原水流路材６とを１つのユニットとして、単数もしくは複数ユニット用意し、集水管１の周囲にスパイラル状に巻き付けてなる。封筒状膜は第１の分離膜３と第２の分離膜４からなり、封筒状膜の４辺のうち、集水管１側以外の全ての辺において、第１の分離膜３と第２の分離膜４が接着された構造をしている。封筒状膜は集水管１側で開口している。原水２は、流体分離素子の一方の端面から供給され、第１の分離膜３および第２の分離膜４の、互いに接着されていない部分である有効膜部１２（図４参照。）で処理される。分離膜３，４を透過した透過水８は集水管１から取り出され、分離膜３，４を透過しなかった原水２は、流体分離素子の他方の端面から濃縮水７として排出される。
【００１６】
通常、スパイラル型の流体分離素子は、外周部を外側シェル１１により固められ、長手方向の両端にテレスコープ防止板９が取り付けられた形態をとる。外側シェルの素材としては、例えば、ウレタン樹脂若しくはエポキシ樹脂等を含む繊維強化プラスチック（ＦＲＰ）、ポリエチレン若しくはポリプロピレンを含むプラスチックフィルム等が挙げられる。外側シェルは、耐圧性の観点からは繊維強化プラスチック（ＦＲＰ）からなるＦＲＰシェルであることが好ましく、耐熱性の観点からはガラス繊維とエポキシ樹脂を含む繊維強化プラスチック（ＦＲＰ）からなるＦＲＰシェルであることがより好ましい。
【００１７】
図２は、本発明のスパイラル型流体分離素子のうち、テレスコープ防止板９の外周環部と外側シェル１１との接触部付近の断面拡大図である。
また、図３は、本発明のスパイラル型流体分離素子のうち、ブラインシール１０を取り付けた時のテレスコープ防止板９の外周環部と外側シェル１１との接触部付近の断面拡大図である。
【００１８】
本発明のテレスコープ防止板９は、外側シェル１１を保持可能な第２環状部１９と、第２環状部の軸方向外側に形成され、外側シェル１１の外側端部を係止可能な第３環状部２０とを有する。また好ましくは、第２環状部１９の軸方向内側に形成され、第２環状部よりも外径が大きい円環からなる第１環状部１８を有する。第１環状部１８が存在することにより、第２環状部１９と第１環状部１８の間に段差が生まれ、外側シェル１１をより係止しやすくなり、外側シェルとテレスコープ防止板の軸方向のずれをより抑制することができる。そして、第３環状部２０の軸方向内側の側面（具体的には、流体分離素子に設けられた際にスパイラル巻体側となる側面）にくぼみ２５を有している。
【００１９】
また好ましくは、第３環状部２０の軸方向外側に形成され、図３に示す通りブラインシール１０を外挿可能な第４環状部２１と、第４環状部２１の軸方向外側に形成され、ブラインシール１０を係止可能な第５環状部２２とを有する。ただし、第４環状部２１と第５環状部２２が存在しない場合でも、本発明の効果は発揮される。
【００２０】
なお、日本国特許第５７４２８４７号公報には、第４環状部２１と第５環状部２２が存在しないテレスコープ防止板が例示されている。
この例では、テレスコープ防止板の第３環状部の外側側面の一部が凹凸部を有し、この凹凸部は、向かい合うテレスコープ防止板上の凹凸部と相補的な形状となっている。凹凸部は、向かい合う凹凸部と相補的にかみ合うことで向かい合うテレスコープ防止板同士を液密にシール可能であり、ブラインシール１０の役割を満たす。
【００２１】
本発明の流体分離素子は、封筒状膜に構成され、間に透過水流路材５を挟み込んだ分離膜３，４と原水流路材６とが集水管の１周囲に巻きつけられてなるスパイラル巻体１７の端面に、本発明のテレスコープ防止板９をテープなどで固定し、外側シェル形成用の樹脂組成物をスパイラル巻体１７およびテレスコープ防止板９の外周に巻き付け、その後、樹脂組成物を硬化させることにより作製することができる。樹脂組成物はテレスコープ防止板９の第２環状部１９およびくぼみ２５にも入り込んだ状態で硬化されるので、硬化後に形成される外側シェル１１はテレスコープ防止板９にしっかりと固定され、外側シェルがテレスコープ防止板に対して回転する方向に力がかかった場合でも、外側シェルが回転するのを抑制することができる。
【００２２】
図５は、本発明のテレスコープ防止板が取り得る形状のうち、好ましいものの一態様をスパイラル巻体側から見た図である。
【００２３】
テレスコープ防止板９は図２に示す通り、第１環状部１８と第２環状部１９と第３環状部２０と第４環状部２１と第５環状部２２とから構成される外環部１５と、図５に示す通り、外環部１５より外径が小さい環からなる内環部１６および外環部１５と内環部１６とを連結するスポーク２４とから構成される。内環部１６の内径は集水管１の外径より大きいことが好ましい。
【００２４】
本発明の流体分離素子では、外側シェル１１がテレスコープ防止板９に対して回転することを防ぐために、テレスコープ防止板９の第３環状部２０のスパイラル巻体側の側面２３（第３環状部スパイラル巻体側側面）上に、くぼみ２５を設ける。外側シェル１１とテレスコープ防止板９は、第２環状部１９に外挿されており、第３環状部２０に接している。このとき、第３環状部２０上のくぼみ２５に外側シェル１１の一部が入り込むことで、外側シェル１１からテレスコープ防止板９へアンカーを打ち込んだ形状となり、これにより外側シェル１１がテレスコープ防止板９に対して回転することを抑制する。
【００２５】
テレスコープ防止板９の中心軸を通る平面で第３環状部２０の断面を取った場合に現れるくぼみ２５の断面形状または位置は、第３環状部２０の周方向において異なる方が好ましい。ここで、「第３環状部２０の断面を取った場合に現れるくぼみ２５の断面形状または位置が第３環状部２０の周方向において異なる」とは、テレスコープ防止板９の中心軸を通る任意の平面で第３環状部２０の断面を取った場合に、現れる形状または位置が、平面によって異なる場合があることを意味する。くぼみ２５の断面形状または位置が第３環状部２０の周方向において一様である場合、くぼみ２５内へ外側シェル１１の一部が入り込んだ場合であっても、外側シェル１１とテレスコープ防止板９が相互に回転することを防ぐアンカーが存在しないため、本発明の効果を十分に発揮できない場合がある。
【００２６】
流体分離素子の上流側のテレスコープ防止板９にはブラインシール１０が外挿されており、原水が流体分離素子の外側シェルと圧力容器との間の隙間内へショートパスするのを防いでいる。ブラインシールはＯリング等でもよいが、圧力容器への装填性からＵシールやスプリットリングシール等が用いられることが多い。特にＵシールは、上流側から流体が流れてきた際にはＵ部分が開いてテレスコープ防止板と圧力容器を液密にシールする。
【００２７】
図５，図６、図７、図８および図９は、いずれも本発明のテレスコープ防止板が取り得る形状のうち、好ましいものの一態様をスパイラル巻体側から見た図である。
好ましい一態様としては、例えば図５のように、第３環状部スパイラル巻体側側面２３上に、３０度毎に１つ、計１２個のくぼみ２５を設ける方法があげられる。
【００２８】
また、図６のように、第３環状部スパイラル巻体側側面２３上に、円弧上のくぼみ２５が１つ存在する形状でもよい。
【００２９】
また、図７のように、第３環状部スパイラル巻体側側面２３の外周部分にくぼみ２５が存在する形状でもよい。
【００３０】
また、図８のように、第３環状部スパイラル巻体側側面２３上の一部分を除いた全ての部分がくぼみ２５となっている形状でもよい。
【００３１】
また、図９のように、くぼみ２５が同一断面形状の２つ以上の同心円の円弧の一部から構成されてもよい。この場合、テレスコープ防止板９の中心軸を含む平面で第３環状部２０の断面を取った場合に現れるくぼみ２５の断面形状が平面によらず一様であるが、くぼみ２５の断面の位置が異なるため、本発明の効果を発揮する上で好ましい形状である。
【００３２】
外側シェル１１の回転防止のみを目的とするのであれば、第３環状部スパイラル巻体側側面２３上に開けるくぼみ２５は第３環状部２０を貫通する貫通孔でもよい。しかし、貫通孔を通じて第４環状部２１上にエポキシ樹脂が入り込むと、ブラインシール１０の取り付けが出来なくなることが懸念されるので、くぼみである方が好ましい。
くぼみ２５の深さの上限は、貫通孔にならない範囲の深さが好ましく、テレスコープ防止板９の第３環状部２０の厚みより小さいことが好ましい。
【００３３】
なお、回転防止するためのくぼみの個数は、１個以上であることが好ましい。
【００３４】
くぼみ２５の総体積は、回転抑制効果を発揮するために第３環状部２０の総体積の０．０５％以上であることが好ましく、０．５％以上であることがより好ましい。
くぼみ２５の総体積が大きくなると、外側シェルの形成に必要となるエポキシ樹脂量が増えるため、くぼみ２５の総体積は、第３環状部２０の総体積の５％未満程度が好ましい。
【００３５】
図１０は、集水管１とテレスコープ防止板９が接触する部分周辺の、より好ましい断面形状である。より好ましくは、図１０のとおり、集水管１上のテレスコープ防止板９と集水管１が接する部分にくぼみ２６が設けられている構造がよい。また、くぼみ２６はテレスコープ防止板９上のテレスコープ防止板９と集水管１が接する部分に設けられていてもよい。このとき、集水管１とテレスコープ防止板９とが、互いに接着剤で接着されており、接着剤が集水管のくぼみ内に入り込み硬化することで、テレスコープ防止板９が集水管１に対して回転することを抑制することができる。
【実施例】
【００３６】
次に、具体例を挙げて本発明のテレスコープ防止板を用いた流体分離素子について説明するが、本発明はこれらの実施例により限定されるものではない。【００３７】
＜実施例１＞
図５に示したように、テレスコープ防止板９の第３環状部スパイラル巻体側側面２３上に、３０度毎に１個、合計１２個のくぼみ２５を設けた。それぞれのくぼみ２５の形状は直径４ｍｍ、深さ２ｍｍであり、くぼみ２５の総体積は３３９ｍｍ３であり、これは第３環状部２０の総体積の０．５％を占める。【００３８】
前述のテレスコープ防止板を用いて流体分離素子を作製した。流体分離素子は図１に示すように、第１の分離膜３、第２の分離膜４、透過水流路材５および原水流路材６がスパイラル状に巻回されてなるスパイラル巻体１７の外周にＦＲＰからなる外側シェル１１が設けられると共に、スパイラル巻体１７および外側シェル１１の両端部にテレスコープ防止板９が配設された構造を有する。【００３９】
また、図４は本発明のスパイラル型流体分離素子に用いられる封筒膜の一形態を示す概略図であり、スパイラル巻体１７に用いられている封筒状膜は、図４に示すように、第１の分離膜３が第２の分離膜４よりも４０ｍｍ短くなるように組み合わされている。【００４０】
このとき、封筒状膜の外周接着部１４からは、第１の分離膜３と第２の分離膜４の接着に使う接着剤が全体的にあるいは部分的に漏れ出ている。【００４１】
これにより、隣り合う封筒状膜の外周方向端部１３同士は全体的に、あるいは部分的に接着剤により固定されている。また、接着剤は第１の分離膜３および第２の分離膜４の有効膜部１２以外の部分にのみ触れている。有効膜部１２の面積は０．７ｍ２以上である。【００４２】
前述の流体分離素子を用いて、試験水通水試験を実施した。流体分離素子を圧力容器内に１本装填し、１日５時間、５日間運転した。
試験水は小麦粉２，０００ｐｐｍ懸濁液に、凝集剤として塩化鉄（ＩＩＩ）とポリアクリルアミドを加えたものである。運転圧力は０．５ＭＰａである。【００４３】
５日間運転後の、テレスコープ防止板に対する外側シェルの回転角度を測定したところ、０度であった。【００４４】
＜比較例１＞
テレスコープ防止板の外側シェル端面と接する面（第３環状部のスパイラル巻体側の側面）上にくぼみがないものを用いて流体分離素子を製造した。
流体分離素子は図１のように、第１の分離膜３、第２の分離膜４、透過水流路材５および原水流路材６がスパイラル状に巻回されてなるスパイラル巻体１７の外周にＦＲＰからなる外側シェル１１が設けられると共に、スパイラル巻体１７および外側シェル１１の両端部にテレスコープ防止板９が配設された構造を有する。【００４５】
この流体分離素子を用いて試験水通水試験を実施した。流体分離素子を圧力容器内に１本装填し、１日５時間、５日間運転した。
試験水は小麦粉２，０００ｐｐｍ懸濁液に、凝集剤として塩化鉄（ＩＩＩ）とポリアクリルアミドを加えたものである。運転圧力は０．５ＭＰａである。【００４６】
５日間運転後の、テレスコープ防止板に対する外側シェルの回転角度を測定したところ、１．２度であった。【００４７】
本発明を詳細にまた特定の実施態様を参照して説明したが、本発明の精神と範囲を逸脱することなく様々な変更や修正を加えることができることは当業者にとって明らかである。本出願は、２０１７年３月３１日出願の日本特許出願（特願２０１７−０７０２０２）に基づくものであり、その内容はここに参照として取り込まれる。
【符号の説明】
【００４８】
１：集水管
２：原水
３：第１の分離膜
４：第２の分離膜
５：透過水流路材
６：原水流路材
７：濃縮水
８：透過水
９：テレスコープ防止板
１０：ブラインシール
１１：外側シェル
１２：有効膜部
１３：封筒状膜の外周方向端部
１４：封筒状膜の外周接着部
１５：外環部
１６：内環部
１７：スパイラル巻体
１８：第１環状部
１９：第２環状部
２０：第３環状部
２１：第４環状部
２２：第５環状部
２３：第３環状部スパイラル巻体側側面
２４：スポーク
２５：くぼみ
２６：くぼみ
【図１】
0006624285.tif 000002
【図２】
0006624285.tif 000003
【図３】
0006624285.tif 000004
【図４】
0006624285.tif 000005
【図５】
0006624285.tif 000006
【図６】
0006624285.tif 000007
【図７】
0006624285.tif 000008
【図８】
0006624285.tif 000009
【図９】
0006624285.tif 000010
【図１０】
0006624285.tif 000011